(57)【要約】【課題】プリピットなどに対して生じる記録開始位置のずれの制御精度を高めた光ディスクなどの記録媒体における記録開始位置の検出方法及びこの方法を用いた情報記録装置を提供する。【解決手段】記録媒体は、所定の情報が記録される第１のトラックと、事前記録情報があらかじめ記録された第２のトラックを有し、第２のトラックに記録された事前記録情報からアドレス信号を復調するアドレス信号復調手段と、第１のトラックの所定位置に、事前記録情報に隣接して記録した場合に事前記録情報を読み出せなくする記録状態となる複数の計測用の情報を所定の間隔で記録させる制御手段と、アドレス信号復調手段で、計測用の情報が記録された領域のアドレス信号を復調して、アドレス信号から読み出せなかった事前記録情報の位置を検出し、この読み出せなかった事前記録情報の位置から第１のトラックの記録開始位置を検出する。【選択図】図５
2007280533.tif 000002
【特許請求の範囲】
【請求項１】
所定の情報が記録される第１のトラックと、アドレス信号を読み出すための事前記録情報が所定位置にあらかじめ記録されている第２のトラックとが並設された記録媒体に、前記所定の情報を記録する際に、前記事前記録情報の記録位置に対する前記所定の情報の記録開始位置の検出を行う検出方法において、
前記第１のトラックの所定位置に、前記事前記録情報に隣接して記録した場合に前記事前記録情報を読み出せなくする記録状態となる複数の計測用の情報を所定の間隔で記録するステップと、
前記計測用の情報が記録された領域の前記事前記録情報から前記アドレス信号を復調するステップと、
復調された前記アドレス信号から、読み出せなかった前記事前記録情報の位置を検出するステップと、
読み出せなかった前記事前記録情報の位置から前記事前記録情報の記録位置に対する前記第１のトラックに記録された前記計測用の情報の記録位置を検出するステップと
を有する記録媒体における記録開始位置の検出方法。
【請求項２】
所定の情報が記録される第１のトラックと、アドレス信号を読み出させるための事前記録情報が所定位置にあらかじめ記録された第２のトラックとを並設した記録媒体に、前記所定の情報を記録する情報記録装置において、
前記事前記録情報から前記アドレス信号を復調するアドレス信号復調手段と、
前記第１のトラックの所定位置に、前記事前記録情報に隣接して記録した場合に前記事前記録情報を読み出せなくする記録状態となる複数の計測用の情報を所定の間隔で記録させる制御手段と、
前記アドレス信号復調手段で、前記計測用の情報が記録された領域の前記アドレス信号を復調して、復調された前記アドレス信号から読み出せなかった前記事前記録情報の位置を検出し、この読み出せなかった前記事前記録情報の位置から前記事前記録情報の記録位置に対する前記第１のトラックの記録開始位置を検出する検出手段と
を備えたことを特徴とする情報記録装置。
【請求項３】
前記検出手段では、前記アドレス信号復調手段で前記計測用の情報が記録された領域の前記アドレス信号を復調する際に用いる閾値を調整可能としたことを特徴とする請求項３記載の情報記録装置。
【発明の詳細な説明】
【技術分野】
【０００１】
本発明は、光ディスクなどの記録媒体に所定の情報を記録する場合における記録開始位置の適正化のために行う記録開始位置の検出方法、及びこの検出方法によって記録開始位置が検出される情報記録装置に関するものである。
【背景技術】
【０００２】
昨今、デジタルスチルカメラあるいはデジタルビデオカメラなどの撮像装置や、パーソナルコンピュータをはじめとする情報機器などのデジタル情報を取り扱う装置では、高機能化にともなって取り扱われるデジタル情報のサイズが大きくなっており、このデジタル情報を保存するための記録手段も大容量化の必要に迫られている。
【０００３】
このような大容量のデジタル情報の記録手段の一つとして、数ギガバイトの記録容量を有するＤＶＤ−Ｒ（Digital Versatile Disk - Recordable）やＤＶＤ−ＲＷ（Digital Versatile Disk - Re-recordable）などの光ディスクからなる記録媒体が用いられている。
【０００４】
ＤＶＤ−ＲやＤＶＤ−ＲＷなどの光ディスク（以下、単に「光ディスク」という）は、光ディスクに照射したレーザ光の反射光の強弱を検出することにより記録された情報の読み出しを可能としており、この光ディスクに所定の情報を記録する場合には、記録装置を用いて光ディスクに設けられた反射率調整層の反射率を調整することによって行っている。
【０００５】
光ディスクには、反射率の調整によって情報が記録される第１のトラックとしての記録情報トラックと、この記録情報トラックに並設した第２のトラックとしての位置情報トラックが設けられており、位置情報トラックには、所定位置に光ディスクのアドレス信号情報及び同期信号情報を読み出させるための事前記録情報をプリピットとして設けている。
【０００６】
光ディスクに所定の情報を記録する情報記録装置では、光ディスクのプリピットから光ディスクのアドレス信号及び同期信号を復調して、アドレス信号及び同期信号に基づいて所定のアドレスに情報の記録を行っている（例えば、特許文献１参照。）。
【０００７】
図７に示すように、記録媒体として光ディスク10を用いる情報記録装置である光ディスク記録装置では、光ディスク10に記録する情報に所定の変調処理を施して記録用信号を出力する変調回路11と、この変調回路11から入力された記録用信号を後述する記録制御に基づいて調整して出力する記録制御回路12と、この記録制御回路12から入力された記録用信号に基づいて光ディスク10に書込みを行うためのレーザ光の強度情報を加えた記録用信号を出力するレーザパワーコントロール回路13と、このレーザパワーコントロール回路13から入力された記録用信号に基づいてドライブ信号を出力するレーザドライブ回路14と、このレーザドライブ回路14から入力されたドライブ信号に基づいて光ピックアップからのレーザの出力を調整するピックアップ回路15を備えている。
【０００８】
図７中、16は光ディスク12を回転させるスピンドルモータ、17はスピンドルモータ16を制御するスピンドルサーボ回路、18は光ピックアップの位置を制御するピックアップサーボ回路である。
【０００９】
さらに、光ピックアップは、照射したレーザ光の光ディスク10による反射光を検出する光検出器を備えており、ピックアップ回路15では、光ピックアップの光検出器で検出された信号を出力している。
【００１０】
特に、光検出器は４つに分割した受光面を有しており、４つの受光面のうちの２つの受光面で情報トラックでの反射光を検出し、残りの２つの受光面で位置情報トラックでの反射光を検出している。
【００１１】
ピックアップ回路15から出力された信号はアンプ回路21に入力して増幅している。特に、アンプ回路21では、位置情報トラックでの反射光を検出した２つの受光面からの出力信号から位置情報トラック光強度信号を生成し、また、記録情報トラックでの反射光を検出した２つの受光面からの出力信号から記録情報トラック光強度信号を生成し、それぞれの信号を出力している。
【００１２】
アンプ回路21から出力された位置情報トラック光強度信号はアドレス信号復調手段であるアドレス信号復調回路22に入力し、このアドレス信号復調回路22で位置情報トラック光強度信号からアドレス信号を生成して、記録制御回路12に入力している。
【００１３】
また、アドレス信号は光ディスク記録装置全体を制御する制御回路19にも入力し、制御回路19では入力されたアドレス信号から所定の制御信号を生成して記録制御回路12に入力し、記録制御回路12からアドレス信号に基づいて調整された記録用信号を出力させている。なお、制御回路19では、スピンドルサーボ回路17及びピックアップサーボ回路18の制御も行っている。
【００１４】
一方、アンプ回路21から出力された記録情報トラック光強度信号は記録情報復調回路23に入力して、この記録情報復調回路23で再生データ信号を生成している。
【００１５】
このように、光ディスク記録装置では、光ディスク10への所定の情報の書込みを行う際には、光ディスク10の位置情報トラックから読み出したアドレス情報及び同期信号に基づいて書込みを行っている。
【００１６】
ここで、光ディスク10に情報を書込んで記録する場合には、あらかじめ定められた所定のフォーマットに基づいて記録する必要があり、このフォーマットにおいて光ディスク10の位置情報トラックに設けた事前記録情報であるプリピットの記録位置に対して、記録される情報の記録開始位置を所定の誤差内に保つ必要があった。
【００１７】
すなわち、光ディスク10のプリピットの位置に対して、記録される情報の記録開始位置が大きくずれていた場合には、あらかじめ想定していた書込領域の外に情報の一部が書込まれて記録されることとなり、書込領域の外に書込まれた情報の部分に他の情報の書込みにともなって上書きが行われるおそれがあり、記録された情報の一部が欠損するおそれがあるためである。
【００１８】
そこで、光ディスク記録装置には、アドレス信号復調回路22から出力されたアドレス信号からアドレス同期信号を生成するアドレス同期信号検出回路24と、記録情報復調回路23から出力された再生データ信号から記録情報同期信号を生成する記録情報同期信号検出回路25を設けるとともに、アドレス同期信号の検出タイミングと記録情報同期信号の検出タイミングとの差分を計測する差分計測回路26を設けている。
【００１９】
そして、アドレス同期信号の検出タイミングと記録情報同期信号の検出タイミングとの差のばらつきに基づいて、記録される情報の記録開始位置のプリピットに対する位置ズレを検出可能としている。
【００２０】
さらに、差分計測回路26での計測結果は制御回路19に入力して、この制御回路19によってプリピットに対する記録開始位置の調整を可能としている。
【特許文献１】特開２００３−２９６９３５号公報
【発明の開示】
【発明が解決しようとする課題】
【００２１】
しかしながら、差分計測回路で検出される差分の値は、プリピットに対して生じている記録開始位置のずれだけでなく、アドレス同期信号の検出に用いるアンプ回路、アドレス信号復調回路、アドレス同期信号検出回路のそれぞれの遅延時間、及び、記録情報同期信号の検出に用いるアンプ回路、記録情報復調回路、記録情報同期信号検出回路のそれぞれの遅延時間の影響が加わるために、プリピットに対して生じている記録開始位置のずれのみを反映しているものではなく、記録開始位置のずれの検出を高精度で行うことが極めて困難であるという問題があった。
【００２２】
本発明者はこのような現状に鑑み、プリピットに対して生じる記録開始位置のずれの制御精度をより高めるべく開発を行う中で、所定の情報の記録にともなって反射率が調整された位置情報トラック部分に隣接した位置情報トラックのプリピットが検出不可能となることを利用することにより、再生データ信号を用いることなく復調したアドレス信号のみからプリピットに対する記録開始位置のずれを検出できることを知見し、本発明を成すに至ったものである。
【課題を解決するための手段】
【００２３】
本発明では、所定の情報が記録される第１のトラックと、アドレス信号を読み出すための事前記録情報が所定位置にあらかじめ記録されている第２のトラックとが並設された記録媒体に、所定の情報を記録する際に、事前記録情報の記録位置に対する所定の情報の記録開始位置の検出を行う検出方法において、第１のトラックの所定位置に、事前記録情報に隣接して記録した場合に事前記録情報を読み出せなくする記録状態となる複数の計測用の情報を所定の間隔で記録するステップと、計測用の情報が記録された領域の事前記録情報からアドレス信号を復調するステップと、復調されたアドレス信号から、読み出せなかった事前記録情報の位置を検出するステップと、読み出せなかった事前記録情報の位置から事前記録情報の記録位置に対する第１のトラックに記録された計測用の情報の記録位置を検出するステップとを有することとした。
【００２４】
また、本発明では、所定の情報が記録される第１のトラックと、アドレス信号を読み出させるための事前記録情報が所定位置にあらかじめ記録された第２のトラックとを並設した記録媒体に、所定の情報を記録する情報記録装置において、事前記録情報からアドレス信号を復調するアドレス信号復調手段と、第１のトラックの所定位置に、事前記録情報に隣接して記録した場合に事前記録情報を読み出せなくする記録状態となる複数の計測用の情報を所定の間隔で記録させる制御手段と、アドレス信号復調手段で、計測用の情報が記録された領域のアドレス信号を復調して、復調されたアドレス信号から読み出せなかった事前記録情報の位置を検出し、この読み出せなかった事前記録情報の位置から事前記録情報の記録位置に対する第１のトラックの記録開始位置を検出する検出手段とを備えた。
【００２５】
さらに、検出手段では、アドレス信号復調手段で計測用の情報が記録された領域のアドレス信号を復調する際に用いる閾値を調整可能としたことにも特徴を有するものである。
【発明の効果】
【００２６】
請求項１記載の発明によれば、事前記録情報の記録位置に対する所定の情報の記録開始位置の検出を行う検出方法において、第１のトラックの所定位置に、事前記録情報に隣接して記録した場合に事前記録情報を読み出せなくする記録状態となる複数の計測用の情報を所定の間隔で記録するステップと、計測用の情報が記録された領域の事前記録情報からアドレス信号を復調するステップと、復調されたアドレス信号から、読み出せなかった事前記録情報の位置を検出するステップと、読み出せなかった事前記録情報の位置から事前記録情報の記録位置に対する第１のトラックに記録された計測用の情報の記録位置を検出するステップとを有することによって、復調したアドレス信号を用いて第１のトラックに対して行う記録開始の位置を検出することができ、検出のために用いる回路を削減して回路の影響を排除することにより、検出精度を向上させることができる。
【００２７】
請求項２記載の発明によれば、所定の情報が記録される第１のトラックと、アドレス信号を読み出させるための事前記録情報が所定位置にあらかじめ記録された第２のトラックとを並設した記録媒体に、所定の情報を記録する情報記録装置において、事前記録情報からアドレス信号を復調するアドレス信号復調手段と、第１のトラックの所定位置に、事前記録情報に隣接して記録した場合に事前記録情報を読み出せなくする記録状態となる複数の計測用の情報を所定の間隔で記録させる制御手段と、アドレス信号復調手段で、計測用の情報が記録された領域のアドレス信号を復調して、復調されたアドレス信号から読み出せなかった事前記録情報の位置を検出し、この読み出せなかった事前記録情報の位置から事前記録情報の記録位置に対する第１のトラックの記録開始位置を検出する検出手段とを備えたことによって、第１のトラックに記録される情報の記録開始位置の、事前記録情報の記録位置に対するずれを従来よりも精度よく検出できる情報記録装置を提供できる。しかも、従来では必要であったずれ検出のための差分回路を不要とすることができる。
【００２８】
さらに、請求項３記載の発明によれば、検出手段では、アドレス信号復調手段で計測用の情報が記録された領域のアドレス信号を復調する際に用いる閾値を調整可能とした場合には、アドレス信号を復調する際にアドレス信号に混入するノイズを除去しやすくすることができ、第１のトラックに記録される情報の記録開始位置の、事前記録情報の記録位置に対するずれの検出精度を向上させることができる。
【発明を実施するための最良の形態】
【００２９】
本発明の記録媒体における記録開始位置の検出方法、及びこの方法を用いた情報記録装置では、所定の情報が記録される第１のトラックと、アドレス信号を読み出させるための事前記録情報が所定位置にあらかじめ記録された第２のトラックとを並設した記録媒体に所定の情報を記録する際の記録開始位置の検出において、第２のトラックの事前記録情報の記録位置に対する第１のトラックの情報書き込みの開始位置のずれを、アドレス信号復調手段によって事前記録情報から復調したアドレス信号を用いて検出するものであり、特に、記録媒体が光ディスクの場合には、第１のトラックの反射率と、第２のトラックの反射率との差を利用しているものである。
【００３０】
具体的に説明すると、記録媒体がＤＶＤ−ＲやＤＶＤ−ＲＷなどの光ディスクである場合には、図１（ａ）に示すように、第１のトラックである記録情報トラック31には、所定の情報の記録によって反射率を低くした領域を形成している。図１（ａ）中、Ｂは低反射率領域を示している。
【００３１】
また、図１（ａ）に示すように、第２のトラックである位置情報トラック32には、事前記録情報であるプリピットを、記録情報トラック31における反射率よりも高くした領域として形成している。図１（ａ）中、Ｗは高反射率領域を示している。
【００３２】
本実施形態では、説明の便宜上、各トラック31,32において、反射率が高い部分について”Ｈ”レベルになるものとしており、この場合、図１（ａ）に示す位置情報トラック32の位置情報トラック光強度信号は、図１（ｂ）に示すように、高反射率領域Ｗで”Ｈ”レベルとなり、図１（ａ）に示す記録情報トラック31の記録情報トラック光強度信号は、図１（ｃ）に示すように、低反射率領域Ｂ以外で”Ｈ”レベルとなり、低反射率領域Ｂで”Ｌ”レベルとなる。
【００３３】
このように、位置情報トラック32の高反射率領域Ｗと、記録情報トラック31の低反射率領域Ｂとが隣接していなければ、各トラック31,32の光強度信号をそれぞれ取り出すことができる。
【００３４】
ここで、図２（ａ）に示すように、位置情報トラック32の高反射率領域Ｗと、記録情報トラック31の低反射率領域Ｂとが隣接した場合には、高反射率領域Ｗの反射が記録情報トラック31の低反射率領域Ｂの低反射の影響によって十分な強度となれず、図２（ｂ）に示すように、位置情報トラック光強度信号は、高反射率領域Ｗであっても”Ｌ”レベルとなる。一方、図２（ｃ）に示すように、記録情報トラック光強度信号は低反射率領域Ｂ以外で”Ｈ”レベルとなり、低反射率領域Ｂで”Ｌ”レベルとなる。
【００３５】
すなわち、位置情報トラックの光強度信号には、記録情報トラック31の状態を反映することができ、これを利用することによって位置情報トラックの光強度信号から復調したアドレス信号を用いて、記録情報トラック31における情報書き込みの開始位置のずれを検出しているものである。以下において、本発明の実施形態をより具体的に説明する。なお、以下においては、記録媒体は光ディスクとし、情報記録装置は光ディスク記録装置として説明する。
【００３６】
光ディスク記録装置は、従来の技術の項で説明した光ディスク記録装置と同様に、図３に示すように、光ディスク10に記録する情報に所定の変調処理を施して記録用信号を出力する変調回路11と、この変調回路11から入力された記録用信号を後述する記録制御に基づいて調整して出力する記録制御回路12と、この記録制御回路12から入力された記録用信号に基づいて光ディスク10に書込みを行うためのレーザ光の強度情報を加えた記録用信号を出力するレーザパワーコントロール回路13と、このレーザパワーコントロール回路13から入力された記録用信号に基づいてドライブ信号を出力するレーザドライブ回路14と、このレーザドライブ回路14から入力されたドライブ信号に基づいて光ピックアップからのレーザの出力を調整するピックアップ回路15を備えている。説明の便宜上、従来の技術の項で説明した光ディスク記録装置の構成物と同一構成物については同一符号を用い、重複する説明は省略する。
【００３７】
図３中、16は光ディスク12を回転させるスピンドルモータ、17はスピンドルモータ16を制御するスピンドルサーボ回路、18は光ピックアップの位置を制御するピックアップサーボ回路である。
【００３８】
ピックアップ回路15から出力された信号はアンプ回路21に入力して増幅するとともに、位置情報トラック32での反射光を検出した２つの受光面からの出力信号から位置情報トラックの光強度信号を生成し、また、記録情報トラック31での反射光を検出した２つの受光面からの出力信号から記録情報トラックの光強度信号を生成し、それぞれの信号を出力している。
【００３９】
アンプ回路21から出力された位置情報トラックの光強度信号はアドレス信号復調手段であるアドレス信号復調回路22に入力し、このアドレス信号復調回路22で位置情報トラックの光強度信号からアドレス信号を生成して、記録制御回路12に入力している。
【００４０】
また、アドレス信号は光ディスク記録装置全体を制御する制御手段である制御回路19にも入力し、制御回路19では入力されたアドレス信号から所定の制御信号を生成して記録制御回路12に入力し、記録制御回路12からアドレス信号に基づいて調整された記録用信号を出力させている。
【００４１】
アドレス信号復調回路22で生成されたアドレス信号はアドレス同期信号検出回路24に入力して、このアドレス同期信号検出回路24でアドレス同期信号を生成しており、一方、アンプ回路21から出力された記録情報トラックの光強度信号は記録情報復調回路23に入力して、この記録情報復調回路23で再生データ信号を生成し、さらに、この再生データ信号を記録情報同期信号検出回路25に入力して、この記録情報同期信号検出回路25で記録情報同期信号を生成している。
【００４２】
さらに、本実施形態の光ディスク記録装置では、アドレス信号復調回路22で生成されたアドレス信号が入力され、このアドレス信号から記録情報トラック31における情報書き込みの開始位置のずれを検出する検出回路29を設けている。
【００４３】
すなわち、検出回路29では、後述するようにアドレス信号から所定のアドレス信号波形が検出されるべき部分において、そのアドレス信号波形が検出できないために未検出となるアドレス信号の光ディスクにおける記録位置を検出し、この未検出となったアドレス信号の位置を利用して記録情報トラック31における情報書き込みの開始位置のずれを検出している。
【００４４】
検出回路29で検出した記録情報トラック31における情報書き込みの開始位置ずれの値は制御回路19に入力し、制御回路19では入力された開始位置のずれの値に応じて記録制御回路12を制御して、記録情報トラック31における情報書き込みの開始位置ずれが適正範囲となるように制御している。
【００４５】
次に、図４及び図５のフローチャートを用いながら、光ディスク記録装置での情報書き込みにおける開始位置ずれの検出動作について説明する。ここで、本実施形態では、説明の便宜上、位置情報トラック32に記録された連続した７ヶ所のプリピットを用い、さらに、記録情報トラック31に記録する計測用の情報の記録間隔を、プリピットの間隔より少しだけ長い間隔として、プリピットによる記録開始位置ずれの検出の分解能を「１」としている。
【００４６】
光ディスク記録装置では、所定の情報を光ディスク10に記録することとなった場合に、光ディスク10の位置情報トラック32に設けた事前記録情報であるプリピットに対する記録情報トラック31での所定の情報の記録開始位置ずれの検出を行う。本実施形態では、この記録開始位置ずれの検出が必要となったタイミングを光ディスク記録装置の制御回路19が検出しており、図示しない外部入力手段などから入力された書込命令が制御回路19に入力されることによって開始している。
【００４７】
光ディスク記録装置の制御回路19では、まず、記録開始位置ずれの検出に用いる位置情報トラック32のプリピットが正しく検出できることを確認するために、記録情報トラック31に情報の記録が行われていない状態で位置情報トラックの光強度信号を検出し、各プリピットに対応した応答を有するアドレス信号が再生されていることを確認する（ステップＳ１）。本実施形態では、プリピット部分は高反射率領域Ｗとしている。なお、位置情報トラックの光強度信号において、各プリピットに対応した応答を有するアドレス信号が再生されない場合には、記録開始位置ずれの検出に用いる領域を変更して、各プリピットに対応した応答を有するアドレス信号が再生される領域を使用する。
【００４８】
次いで、光ディスク記録装置の制御回路19は初期値設定を行う（ステップＳ２）。すなわち、確認回数カウンタ値Ｋ、再生ＯＫ回数カウンタＩ、及び所定の値を記憶するためのＫ１値及びＫ２値を全て零とする。
【００４９】
次いで、光ディスク記録装置の制御回路19では、確認回数カウンタ値Ｋのインクリメントを行った後（ステップＳ３）、光ディスク10の記録情報トラック31に、図４（ａ）に示すように、第１番目の計測用の情報を記録する（ステップＳ４）。本実施形態では、計測用の情報は低反射率領域Ｂで記録されるものとしている。このとき、第１番目の計測用の情報が記録される記録位置は、所定のオフセットによってプリピット間としている。
【００５０】
次いで、光ディスク記録装置の制御回路19では、第１番目の計測用の情報の記録後にピックアップ回路15で位置情報トラックの光強度信号を再生してアドレス信号を復調し、プリピットの応答が正しく再生されるかを確認する（ステップＳ５）。すなわち、第１番目の計測用の情報が、プリピット間に記録されたかを確認している。
【００５１】
なお、プリピットを正しく再生できるかを確認するために、位置情報トラックの光強度信号からアドレス信号を復調する場合に、復調の閾値を適宜調整することによって、復調されたアドレス信号にノイズが混入することを抑制して、検出精度を向上させることができる。
【００５２】
アドレス信号においてプリピットに対応した応答が正しく再生されない場合には（ステップＳ６）、再生ＯＫ回数カウンタＩを確認し（ステップＳ７）、再生ＯＫ回数カウンタＩが零である場合には、第１番目の計測用の情報の記録位置である計測基準位置の取り直しを行う（ステップＳ８）。
【００５３】
一方、ステップＳ５でプリピットに対応した応答を有するアドレス信号を再生できた場合には、再生ＯＫ回数カウンタＩをインクリメントして（ステップＳ９）、次いで、Ｋ１値が零かどうかの判定を行い（ステップＳ１０）、この場合ではＫ１値が零であるので、ステップＳ１０でＫ２値を確認回数カウンタ値Ｋとする（ステップＳ１１）。したがって、Ｋ２＝１である。
【００５４】
その後、光ディスク記録装置では、確認回数カウンタ値Ｋを用いたループ終了判定を行って（ステップＳ１３）、終了条件に達していない場合には、ステップＳ３に戻って確認回数カウンタ値Ｋのインクリメントを行い、記録情報トラック31に新たな２番目の計測用の情報を記録する。
【００５５】
記録情報トラック31に２番目の計測用の情報を記録する場合には、１番目の計測用の情報を記録した際の計測基準位置に対して、確認回数カウンタ値Ｋに分解能を掛けた値をオフセットとして用いて所定位置に記録している（ステップＳ４）。
【００５６】
記録された２番目の計測用の情報に対して、前述したステップを順次行う。本実施形態では、２番目の計測用の情報の記録後も、位置情報トラックの光強度信号から復調したアドレス信号におけるプリピットの応答が正しく再生されるため、再生ＯＫ回数カウンタＩのインクリメントを行い（ステップＳ９）、次いで、Ｋ１値が零かどうかの判定を行い（ステップＳ１０）、この場合ではＫ１値が零のままであるので、ステップＳ１１でＫ２値を確認回数カウンタ値Ｋとする（ステップＳ１１）。したがって、Ｋ２＝２である。
【００５７】
そして、ステップＳ１３で終了条件に達していないことによりステップＳ３に戻って確認回数カウンタ値Ｋのインクリメントを行い、記録情報トラック31に新たな３番目の計測用の情報を記録する。
【００５８】
記録情報トラック31に３番目の計測用の情報を記録する場合には、１番目の計測用の情報を記録した際の計測基準位置に対して、確認回数カウンタ値Ｋに分解能を掛けた値をオフセットとして用いて所定位置に記録している（ステップＳ４）。
【００５９】
記録された３番目の計測用の情報に対して、前述したステップを順次行う。本実施形態では、３番目の計測用の情報の記録後には位置情報トラックの光強度信号から復調したアドレス信号においてプリピットの応答が正しく再生されないために、ステップＳ１２でＫ１値を確認回数カウンタ値Ｋとする。したがって、Ｋ１＝３である。
【００６０】
その後、光ディスク記録装置では、ステップＳ１２で終了条件に達していないことによりステップＳ３に戻って確認回数カウンタ値Ｋのインクリメントを行い、記録情報トラック31に新たな４番目の計測用の情報を記録する。
【００６１】
記録情報トラック31に４番目の計測用の情報を記録する場合には、１番目の計測用の情報を記録した際の計測基準位置に対して、確認回数カウンタ値Ｋに分解能を掛けた値をオフセットとして用いて所定位置に記録している（ステップＳ４）。
【００６２】
記録された４番目の計測用の情報に対して、前述したステップを順次行う。本実施形態では、４番目の計測用の情報の記録後にも位置情報トラックの光強度信号から復調したアドレス信号においてプリピットの応答が正しく再生されないために、ステップＳ１３でＫ１値を確認回数カウンタ値Ｋとする。したがって、Ｋ１＝４である。
【００６３】
その後、光ディスク記録装置では、ステップＳ１２で終了条件に達していないことによりステップＳ３に戻って確認回数カウンタ値Ｋのインクリメントを行い、記録情報トラック31に新たな５番目の計測用の情報を記録する。
【００６４】
記録情報トラック31に５番目の計測用の情報を記録する場合には、１番目の計測用の情報を記録した際の計測基準位置に対して、確認回数カウンタ値Ｋに分解能を掛けた値をオフセットとして用いて所定位置に記録している（ステップＳ４）。
【００６５】
記録された５番目の計測用の情報に対して、前述したステップを順次行う。本実施形態では、５番目の計測用の情報の記録後にも位置情報トラックの光強度信号から復調したアドレス信号においてプリピットの応答が正しく再生されないために、ステップＳ１３でＫ１値を確認回数カウンタ値Ｋとする。したがって、Ｋ１＝５である。
【００６６】
その後、光ディスク記録装置では、ステップＳ１２で終了条件に達していないことによりステップＳ３に戻って確認回数カウンタ値Ｋのインクリメントを行い、記録情報トラック31に新たな６番目の計測用の情報を記録する。
【００６７】
記録情報トラック31に６番目の計測用の情報を記録する場合には、１番目の計測用の情報を記録した際の計測基準位置に対して、確認回数カウンタ値Ｋに分解能を掛けた値をオフセットとして用いて所定位置に記録している（ステップＳ４）。
【００６８】
記録された６番目の計測用の情報に対して、前述したステップを順次行う。本実施形態では、６番目の計測用の情報の記録後には、位置情報トラックの光強度信号から復調したアドレス信号においてプリピットの応答が正しく再生されるために、再生ＯＫ回数カウンタＩのインクリメントを行い（ステップＳ９）、次いで、Ｋ１値が零かどうかの判定を行い（ステップＳ１０）、この場合ではＫ１値が零でないので、ステップＳ１１をジャンプする。
【００６９】
その後、光ディスク記録装置では、ステップＳ１２で終了条件に達していないことによりステップＳ３に戻って確認回数カウンタ値Ｋのインクリメントを行い、記録情報トラック31に新たな７番目の計測用の情報を記録する。
【００７０】
記録情報トラック31に７番目の計測用の情報を記録する場合には、１番目の計測用の情報を記録した際の計測基準位置に対して、確認回数カウンタ値Ｋに分解能を掛けた値をオフセットとして用いて所定位置に記録している（ステップＳ４）。
【００７１】
記録された７番目の計測用の情報に対して、前述したステップを順次行う。本実施形態では、７番目の計測用の情報の記録後には、位置情報トラックの光強度信号から復調したアドレス信号においてプリピットの応答が正しく再生されるために、再生ＯＫ回数カウンタＩのインクリメントを行い（ステップＳ９）、次いで、Ｋ１値が零かどうかの判定を行い（ステップＳ１０）、この場合ではＫ１値が零でないので、ステップＳ１１をジャンプする。
【００７２】
その後、光ディスク記録装置では、ステップＳ１２で終了条件に達したことを確認し、特定されたＫ１値とＫ２値の平均値を調整値とし、計測開始時の基準に対して調整値を加えた位置を位置情報トラック31における記録開始位置として検出している。このようにして検出された記録開始位置とプリピットとの位置関係から、記録開始位置ずれを検出できる。
【００７３】
前述した処理フローにおいて、本実施形態では、記録情報トラック31に計測用の情報を記録する記録処理は制御回路19で行っており、記録情報トラック31に記録された計測用の情報を用いて行うＫ１値及びＫ２値の特定、及び記録開始位置の検出は検出回路29で行っている。検出回路29で検出された記録開始位置ずれが適正範囲を超える場合には、制御回路19によって記録開始位置ずれが適正範囲内となるように、光ディスク10の回転制御を行っている。
【００７４】
このように、記録情報トラック31の低反射率領域Ｂに隣接した位置情報トラック32の高反射率領域Ｗの検出が困難となることを用いることにより、位置情報トラックの光強度信号から情報書き込みの開始位置のずれを検出することができ、記録開始位置をできるだけ少ない回路で検出できることによって記録開始位置の検出精度を向上させることができる。本実施形態では、記録情報トラック31に低反射率領域Ｂを設け、位置情報トラック32に高反射率領域Ｗを設けているが、記録情報トラック31に高反射率領域を設け、位置情報トラック32に低反射率領域を設けて同様に記録開始位置の検出を行ってもよい。
【００７５】
図６は、記録情報トラック31へ計測用の情報の記録方法の変容例であって、位置情報トラック32に記録されたプリピットに対して、記録情報トラック31に少しずつずらして反射率を低くしない部分を隣接させるように記録を行うものであり、上述した図５と同様に検出を行うことができる。
【図面の簡単な説明】
【００７６】
【図１】位置情報トラックに形成されたプリピットと記録情報トラック記録された所定の情報との関係を説明する説明図である。
【図２】位置情報トラックに形成されたプリピットと記録情報トラック記録された所定の情報との関係を説明する説明図である。
【図３】本発明の実施形態に係る光ディスク記録装置の概略ブロック図である。
【図４】位置情報トラックに形成されたプリピットと記録情報トラック記録された所定の情報との関係を説明する説明図である。
【図５】本発明の実施形態に係る光ディスク記録装置での記録開始位置のずれの検出用フローチャートである。
【図６】位置情報トラックに形成されたプリピットと記録情報トラック記録された所定の情報との関係の変容例を説明する説明図である。
【図７】従来の光ディスク記録装置の概略ブロック図である。
【符号の説明】
【００７７】
10  光ディスク
11  変調回路
12  記録制御回路
13  レーザパワーコントロール回路
14  レーザドライブ回路
15  ピックアップ回路
16  スピンドルモータ
17  スピンドルサーボ回路
18  ピックアップサーボ回路
19  制御回路
21  アンプ回路
22  アドレス信号復調回路
23  記録情報復調回路
24  アドレス同期信号検出回路
25  記録情報同期信号検出回路
29  検出回路
【図１】
2007280533.tif 000003
【図２】
2007280533.tif 000004
【図３】
2007280533.tif 000005
【図４】
2007280533.tif 000006
【図５】
2007280533.tif 000007
【図６】
2007280533.tif 000008
【図７】
2007280533.tif 000009